(57)【要約】【課題】  キッズコーナーを構成するマットやベンチに防災用品を収納して備蓄ができ、子供が遊戯中に震災に遭った時、子供及びその保護者の身の安全等を確保するために収納した防災用品を迅速に取り出して利用することができるキッズコーナーの防災用品収納装置を提供すること。【解決手段】  複数のマットＡ，Ｂ，Ｃを縦横に敷設し、その外側にベンチＤ，Ｅを設置し、このベンチの設置していない一角に出入り口７を設けてなるキッズコーナー１において、前記マットＡ，Ｂ又はベンチＤは、開口を有する方形箱型本体と、この箱型本体の開口部に装着される方形蓋とを有し、前記箱型本体は、内部が防災用品を収納する収納部に形成され、この収納部に収納された防災用品が災害時に前記蓋を外して収納部を開放することにより取り出せるようになっている。【選択図】      図１
0003179425.tif 000002
【実用新案登録請求の範囲】
【請求項１】
複数のマットを縦横に敷設し、その外側にベンチを設置し、このベンチの設置していない一角に出入り口を設けてなるキッズコーナーにおいて、
前記マット又はベンチは、開口を有する方形箱型本体と、この箱型本体の開口部に装着される方形蓋とを有し、前記箱型本体は、内部が防災用品を収納する収納部に形成され、この収納部に収納された防災用品が災害時に前記蓋を外して収納部を開放することにより取り出せるようになっていることを特徴とする防災用品収納装置。
【請求項２】
複数のマットを縦横に敷設し、その外側にベンチを設置し、このベンチの設置していない一角に出入り口を設けてなるキッズコーナーにおいて、
前記出入り口に面するマットは、上端開口の方形箱型本体と、この箱型本体の上端開口部に装着される方形上蓋とを有し、前記箱型本体は、内部が防災用品を収納する収納部に形成されているとともに、前記上蓋を持ち上げて脱着可能とする脱着手段が前記箱型本体の出入り口に面する側壁、又は前記上蓋の裏面に前記箱型本体の出入り口に面する側壁外に位置するように設けられ、この脱着手段を含む側壁前面を覆う被覆部材が着脱可能に取り付けられ、災害時に被覆部材を取り外したうえ脱着手段によって上蓋を持ち上げ収納部を開放することにより収納部に収納された防災用品が取り出せるようになっていることを特徴とする防災用品収納装置。
【請求項３】
請求項２に記載の防災用品収納装置において、脱着手段は、前記箱型本体の出入り口に面する側壁上部に形成された切欠部、又は上蓋裏面において出入り口に面する側壁近傍に設けた平ベルト等の紐状体、であることを特徴とする防災用品収納装置。
【請求項４】
請求項２又は３に記載の防災用品収納装置において、前記出入り口に面するマット以外のマットは、上端開口の方形箱型本体と、この箱型本体の上端開口部に装着される方形上蓋とを有し、前記箱型本体は、内部が防災用品を収納する収納部に形成されているとともに、前記上蓋を持ち上げて脱着可能とする脱着手段が上蓋の裏面に前記箱型本体の側壁外において隣接するマット側まで延びて位置するように設けられていることを特徴とする防災用品収納装置。
【請求項５】
請求項２又は３に記載の防災用品収納装置において、前記被覆部材が被覆板からなり、この被覆板の表面が前記出入り口に面するマットに隣接するマットの箱型本体の側壁表面と面一となっていることを特徴とする防災用品収納装置。
【請求項６】
請求項２又は３に記載の防災用品収納装置において、前記被覆部材が被覆スロープ部材からなり、この被覆スロープ部材の表面が上から下に向けてなだらかな曲面又は傾斜面に形成されていることを特徴とする防災用品収納装置。
【請求項７】
請求項２ないし６のいずれかに記載の防災用品収納装置において、前記ベンチは、一側面開口の方形箱型本体と、この箱型本体の一側面開口部に装着される方形蓋体とを有し、前記箱型本体は、内部が防災用品を収納する収納部に形成されているとともに、前記蓋体を取り外して脱着可能とする脱着手段が前記蓋体の裏面に前記箱型本体の側壁外において隣接するマット側まで延びて位置するように設けられ、設置に際して、前記蓋体のある側がマット側となり、脱着手段が隣接するマットの側面で覆われるようになっていることを特徴とする防災用品収納装置。
【請求項８】
請求項２ないし７のいずれかに記載の防災用品収納装置において、前記マットとベンチ、あるいはマットとマットは、その相対向して接する面に相互に着脱可能に係着する係着手段が設けられていることを特徴とする防災用品収納装置。
【考案の詳細な説明】
【技術分野】
【０００１】
この考案は、キッズコーナーの防災用品収納装置に関し、より詳細には、複数のマットを縦横に敷設し、その外側にベンチを設置し、このベンチの設置していない一角に出入り口を設けてなるキッズコーナーにおいて、マットやベンチの高さを利用し、それらの中に毛布、懐中電灯、ラジオ、飲料水、防災用ヘルメット、防災頭巾などの防災用品を収納して備蓄でき、通常時には子供の遊戯用として利用可能である一方、地震等の災害時には備蓄した防災用品を簡単に取り出して有効活用できるようにした技術に係るものである。
【背景技術】
【０００２】
前記のようなキッズコーナーは、キッズスペースやチャイルドコーナーとも呼ばれ、近年、大型スーパーやショールーム等の商業施設などの特定スペースに設置され、子供の遊び場として利用されているが、これまでのキッズコーナーを構成するマットやベンチは、マットの弾力性を利用し通常では底にベニヤ板があり、そこを基にウレタンマットを乗せたビニールレザーで巻いたものがほとんどである。そのため、本来の遊戯用としての機能しかなかった。しかし、先の東日本大震災を経験したことを踏まえ、子供がキッズコーナーで遊戯中に震災に遭った時などに子供及びその保護者の身の安全等を確保するための防災用品をその近辺に備えるべきであるとの指摘もなされていることもあり、通常時には保護者が安心して子供を遊ばせることができる遊び場として、震災時には防災用品を備蓄した支援キットとして、誰もが安心できるキッズコーナーを提案したいとの発想から、今回の考案を案出するに至ったものである。
【０００３】
前記のような発想から生まれたこの考案に近い商品は出願人の調査によれば現在のところ市場には出ておらず、将来の震災の発生を予想すると、早急な市場への提供が望まれるところとなっていた。先行技術文献としては、特許文献１が提案されているが、これは公園や広場等に設置され、ベンチの脚部に防災備蓄物を収納するためのものではあるが、運搬やテーブルやベッドとして使用できる運搬車を出し入れ可能に収納することにウェイトが置かれたものであり、キッズコーナーにおける子供等のための防災用品を備蓄してそれを災害時に提供するようなものではなく、公園や広場等での一般的な防災備蓄物の利用する域を出ないものであった。
【先行技術文献】
【特許文献】
【０００４】
【特許文献１】特開平１１−２２５８５３号公報
【考案の概要】
【考案が解決しようとする課題】
【０００５】
そこでこの考案は、前記のような従来の問題を解決して、キッズコーナーを構成するマットやベンチに防災用品を収納して備蓄ができ、子供が遊戯中に震災に遭った時、子供及びその保護者の身の安全等を確保するために収納した防災用品を迅速に取り出して利用することができるキッズコーナーの防災用品収納装置を提供することを目的とする。
【課題を解決するための手段】
【０００６】
前記目的を達成するために、請求項１に記載の考案は、複数のマットを縦横に敷設し、その外側にベンチを設置し、このベンチの設置していない一角に出入り口を設けてなるキッズコーナーにおいて、前記マット又はベンチは、開口を有する方形箱型本体と、この箱型本体の開口部に装着される方形蓋とを有し、前記箱型本体は、内部が防災用品を収納する収納部に形成され、この収納部に収納された防災用品が災害時に前記蓋を外して収納部を開放することにより取り出せるようになっていることを特徴とする。
【０００７】
請求項２に記載の考案は、複数のマットを縦横に敷設し、その外側にベンチを設置し、このベンチの設置していない一角に出入り口を設けてなるキッズコーナーにおいて、前記出入り口に面するマットは、上端開口の方形箱型本体と、この箱型本体の上端開口部に装着される方形上蓋とを有し、前記箱型本体は、内部が防災用品を収納する収納部に形成されているとともに、前記上蓋を持ち上げて脱着可能とする脱着手段が前記箱型本体の出入り口に面する側壁、又は前記上蓋の裏面に前記箱型本体の出入り口に面する側壁外に位置するように設けられ、この脱着手段を含む側壁前面を覆う被覆部材が着脱可能に取り付けられ、災害時に被覆部材を取り外したうえ脱着手段によって上蓋を持ち上げ収納部を開放することにより収納部に収納された防災用品が取り出せるようになっていることを特徴とする。
【０００８】
請求項３に記載の考案は、請求項２に記載の防災用品収納装置において、脱着手段は、前記箱型本体の出入り口に面する側壁上部に形成された切欠部、又は上蓋裏面において出入り口に面する側壁近傍に設けた平ベルト等の紐状体、であることを特徴とする。
【０００９】
請求項４に記載の考案は、請求項２又は３に記載の防災用品収納装置において、前記出入り口に面するマット以外のマットは、上端開口の方形箱型本体と、この箱型本体の上端開口部に装着される方形上蓋とを有し、前記箱型本体は、内部が防災用品を収納する収納部に形成されているとともに、前記上蓋を持ち上げて脱着可能とする脱着手段が上蓋の裏面に前記箱型本体の側壁外において隣接するマット側まで延びて位置するように設けられていることを特徴とする。
【００１０】
請求項５に記載の考案は、請求項２又は３に記載の防災用品収納装置において、前記被覆部材が被覆板からなり、この被覆板の表面が前記出入り口に面するマットに隣接するマットの箱型本体の側壁表面と面一となっていることを特徴とする。
【００１１】
請求項６に記載の考案は、請求項２又は３に記載の防災用品収納装置において、前記被覆部材が被覆スロープ部材からなり、この被覆スロープ部材の表面が上から下に向けてなだらかな曲面又は傾斜面に形成されていることを特徴とする。
【００１２】
請求項７に記載の考案は、請求項２ないし６のいずれかに記載の防災用品収納装置において、前記ベンチは、一側面開口の方形箱型本体と、この箱型本体の一側面開口部に装着される方形蓋体とを有し、前記箱型本体は、内部が防災用品を収納する収納部に形成されているとともに、前記蓋体を取り外して脱着可能とする脱着手段が前記蓋体の裏面に前記箱型本体の側壁外において隣接するマット側まで延びて位置するように設けられ、設置に際して、前記蓋体のある側がマット側となり、脱着手段が隣接するマットの側面で覆われるようになっていることを特徴とする。
【００１３】
請求項８に記載の考案は、請求項２ないし７のいずれかに記載の防災用品収納装置において、前記マットとベンチ、あるいはマットとマットは、その相対向して接する面に相互に着脱可能に係着する係着手段が設けられていることを特徴とする。
【考案の効果】
【００１４】
この考案は、前記のようであって、請求項１に記載の考案は、複数のマットを縦横に敷設し、その外側にベンチを設置し、このベンチの設置していない一角に出入り口を設けてなるキッズコーナーにおいて、前記マット又はベンチは、開口を有する方形箱型本体と、この箱型本体の開口部に装着される方形蓋とを有し、前記箱型本体は、内部が防災用品を収納する収納部に形成されているので、キッズコーナーを構成するマットやベンチの箱型本体の収納部に防災用品を収納して備蓄することができる。また、子供がキッズコーナーで遊戯中に震災に遭った時、この収納部に収納された防災用品を蓋を外して収納部を開放することにより取り出して、子供及びその保護者の身の安全等を確保するために利用することができるという優れた効果がある。
【００１５】
請求項２に記載の考案は、出入り口に面するマットにおいて、前記と同様な効果を期待することができる。請求項３に記載の考案は、切欠部又は紐状体により上蓋を簡単に持ち上げて収納部を開放することができる。請求項４に記載の考案は、出入り口に面するマット以外のマットにおいても、前記と同様な効果を期待することができる。
【００１６】
請求項５に記載の考案は、被覆板の表面が隣接するマットの箱型本体の側壁表面と面一となるので、脱着手段を覆う被覆板が取り付けられていることを子供に察知されにくくすることができ、いたずら防止の効果が期待することができる。請求項６に記載の考案は、被覆スロープ部材により前記と同様な効果を期待することができるのに加え、出入り口の目印的な役割を担うとともに、子供を安全にキッズコーナー内に導くことが可能になる。
【００１７】
請求項７に記載の考案は、ベンチの箱型本体にも収納部が形成されているので、その高さを利用してヘルメット等、マットには収納しにくい防災用品を収納することができる。請求項８に記載の考案は、マットとベンチ、あるいはマットとマットは、係着手段で係着するので、係着の力にもよるが子供の力ではバラバラに離間されにくいものとなり、常に整然とした形態を維持することができる。
【図面の簡単な説明】
【００１８】
【図１】この考案の一実施の形態を示す概略平面図である。
【図２】マットＡの上蓋と被覆板を取り外した状態の斜視図である。
【図３】マットＡの前側を拡大して示す要部斜視図である。
【図４】隣接するマットＡとマットＢの対応関係を示す一部破断の概略平面図である。
【図５】マットＡの前側を拡大して示す被覆部材の変形例の要部斜視図である。
【図６】マットＢの上蓋を取り外した状態の分解斜視図である。
【図７】隣接するマットＡとマットＢの対応関係を示す概略斜視図である。
【図８】ベンチＤの斜視図である。
【図９】ベンチＤの蓋体を取り外した状態の斜視図である。
【図１０】隣接するマットＡ，ＢとベンチＤ，Ｅの対応関係を示す概略斜視図である。
【考案を実施するための形態】
【００１９】
この考案の一実施の形態を、添付した図面を参照しながら詳細に説明する。
【００２０】
図１に示す符号１が、商業施設などの特定スペースに設置されたキッズコーナーであり、碁盤目のように縦横に敷設された複数のマットＡ，Ｂ，Ｃと、その外側に該マット群を囲むように設置された複数のベンチＤ，Ｅと、から構成されている。この例では壁により形成されたコーナーを利用してマットＡ，Ｂ，Ｃを計９個、ベンチＤ，Ｅを計５個設置している。マットＡ，Ｂ，Ｃの寸法はいずれもＷ９００×Ｄ９００×Ｈ１９０となって、平面視正方形状の直方体を呈している点で共通している。また、マットＡ，Ｂは防災用品備蓄型、マットＣは防災用品備蓄不可の固定型となっている。これらマットＡ，Ｂ，Ｃについて、以下に順に説明する。
【００２１】
マットＡは、ベンチＤ，Ｅの設置していないキッズコーナー１の一角の出入り口７近くに敷設されている。マットＡは、図２に示すように上端開口の方形箱型本体８と、この箱型本体の上端開口部に装着される方形上蓋９とを有している。箱型本体８は、内部が収納部１０に形成され、該収納部には仕切り板１１を介して毛布、懐中電灯、ラジオ、飲料水等の防災用品２が収納可能になっている。この図面では丸めて梱包した毛布を示している。出入り口７に面する側の箱型本体８の側壁８ａ中央上部には上蓋持ち上げ用の切欠部１２が設けられ、この切欠部を含む側壁８ａの前面を全面に亘り覆う被覆部材としての被覆板１３が着脱可能に取り付けられている。被覆板１３の着脱は後記するマットＡの箱型本体８の側壁８ａに設けた面ファスナー５０と同じ面ファスナー（図示せず）を対向する内面に設けることにより行われる。被覆板１３は、切欠部１２が子供に見つかって妄りに収納部１０が開けられないように目隠しの役割を担うもので、図３，４からも明らかなようにその表面が隣接する後記マットＢの箱型本体の側壁表面と面一となり、かつその上面が上蓋９で覆われて平面及び正面からは見えないようになっている。そのため被覆板１３が取り付けられていることを子供に察知されにくいものとなり、いたずら防止になる。
【００２２】
上蓋９は、箱型本体８の被覆板１３側となる裏面前端部に樹脂製の上蓋持ち上げ用の平ベルト１４が、その基端を先端側をループ状として固定して設けられている。そして、平ベルト１４は閉蓋に際し、先端側を切欠部１２近くの側壁８ａの上面を経て被覆板１３との隙間、好ましくは切欠部１２に入り込むように垂れて位置するように配置される。このようにすることにより、災害時に被覆板１３を取り外したときに平ベルト１４を見つけやすくなる。なお、この例では上蓋９を持ち上げて脱着し収納部１０を開放する際には、脱着手段としての切欠部１２と平ベルト１４のいずれかを使用できるようになっているが、これはいずれか一方のみを設けるだけでもよい。上記により、災害時に防災用品２を取り出すには、被覆板１３を取り外したうえ切欠部１２又は平ベルト１４を介して上蓋９を持ち上げて収納部１０を開放する。これにより収納部１０に収納された防災用品２が取り出せるようになる。４は上蓋９の収まりをよくするための木片等からなる係合突部であり、上蓋裏面の四隅に設けられる。
【００２３】
この例では平ベルト１４を弾性力のあるものとしているため側壁８ａの上面を経るようにしてもその厚みによる上蓋９と箱型本体８との間に隙間が生じるという影響はほとんどないが、平ベルト１４の幅及び厚さ分、側壁８ａの上面に凹部を切り欠き形成し、該凹部を経るようにしてもよい。このような凹部を切り欠く構成にすれば、平ベルト１４以外のやや厚みのある、あるいは弾性のない紐状体などを使っても隙間の心配が無くなる。箱型本体８と上蓋９は、いずれも合板の表面をクッションを介在させて張り付けたビニールレザーで被覆し、その縁部を適宜の止め具で止めて構成されている。しかし、その構成は任意であり、別の構成としてもよい。
【００２４】
また、特に図示していないが、箱型本体８の側壁上端面と、これと対応する上蓋９の下端面にはマグネットが埋め込み等で装着されていて、装着時に両端面同士が適度の磁力により磁着するようになっている。
【００２５】
図５は、被覆部材の変形例を示す。前記では被覆板１３を示したが、この例では出入り口７の段差を解消し、子供が安全に出入り可能なように被覆スロープ部材１５が箱型本体８の側板８ａと上蓋９とで形成される空隙に背面側からすっぽり挿入されて装着されている。被覆スロープ部材１５は、その表面が上から下に向けてなだらかな曲面に形成され、子供でもつまずくことなく安心して出入り口７を利用できるようになっている。子供がつまずくことなく安全であれば曲面に限らず傾斜面としてもよい。
【００２６】
マットＢは、マットＡに対してその縦横方向に隣接して敷設されている。このマットＢは、図６に示すように上端開口の方形箱型本体１８と、この箱型本体の上端開口部に装着される方形上蓋１９とを有している。箱型本体１８は、内部がマットＡと同様の防災用品２、例えば図示のようなカイロ、マスク、包帯、ガーゼ、エア枕、タオル等を収納する収納部２０に形成されているとともに、上蓋持ち上げ用の平ベルト２４が裏面前端部及び一側部にこれらと隣接するマットＡ又はＢ側まで延びて位置するように設けられている。これにより、マットＡの収納部１０を開放すると、図７に示すように平ベルト２４が見える状態となるため、該ベルトを介してマットＢの上蓋１９を持ち上げ収納部２０を開放することが可能となる。２１は仕切り板である。
【００２７】
マットＣは、図１に示すようにキッズコーナー１の隅部にマットＢと隣接して敷設されている。このマットＣは、特に図示していないがマットＢと同様に上端開口の方形箱型本体と、この箱型本体の上端開口部を塞ぐように固定された方形上蓋とを有している。つまり、このマットＣは、前記箱型本体と上蓋とで内部が中空に形成した状態に固定されており、通常の遊戯用としての機能を有するのみで、該中空部は空いたままで防災用品は何も収納されておらず、防災備蓄の機能は有していない。
【００２８】
ベンチＤ，Ｅの寸法は、いずれもＷ９００×Ｄ３５０×Ｈ４００となって、平面視長方形状の直方体を呈している点で共通している。また、ベンチＤは防災用品備蓄型、ベンチＥは防災用品備蓄不可の固定型となっている。これらベンチＤ，Ｅについて以下に順に説明する。
【００２９】
ベンチＤ，Ｅは、図１に示すようにキッズコーナー１に敷設されたマットＡ，Ｂ，Ｃの壁側でない辺に沿って設置されている。すなわち、図でマットＡ，Ｂの左辺に沿う外側と、下辺に沿う外側に配置され、唯一配置されていない場所が出入り口７となっている。ベンチＤは、図８，９に示すように一側面開口の方形箱型本体３８と、この箱型本体の一側面開口部に装着される方形蓋体３９とを有している。箱型本体３８は、内部が収納部４０に形成され、該収納部には高さがありマットＡ，Ｂの収納部１０，２０には収納できないような防災用ヘルメット、防災頭巾等の防災用品３を収納可能になっている。４１は仕切り板である。蓋体３９の下部には蓋体３９取り外し用の切欠部４２が指挿入程度の大きさで設けられたうえ、ゴム等の弾性体で埋められている。すなわち、蓋体３９を構成する合板の中央下部を切り欠き、そこをクッションで埋めたうえ、ビニールレザーを張り付けて被覆するのである。そのため切欠部４２からクッションを押すようにして指を差し込み蓋体３９を外方に引き出すようにすれば蓋体３９を取り外すことができる。クッションで埋められている切欠部４２は指を差し込みやすく、通常はこの仕様がわからなくなっているので、子供にいたずらされる心配もない。
【００３０】
また、蓋体３９の裏面の切欠部４２近傍には蓋体取り外し用の平ベルト４４が、その基端を先端側をループ状として固定して設けられている。そして設置に際しては、図１０にも示すように蓋体３９のある側がマットＡ側となり、切欠部４２がマットＡの箱型本体８の側壁８ａで覆われ、見えないようになっている。平ベルト４４はマットＡの上蓋９を持ち上げて収納部１０が開放された状態では図のように見えるが、上蓋９が持ち上げられない状態では見えない。そのため、子供にいたずらされる心配がない。
【００３１】
また、特に図示していないが、マットＡ，Ｂと同様にベンチＤの箱型本体３８の開口側端面と、これと対応する蓋体３９の端面にはマグネットが埋め込み等で装着されていて、装着時に両端面同士が適度の磁力により磁着するようになっている。さらに、図示していないが、蓋体３９の装着に際し、蓋体３９がすっぽり箱型本体３８の開口側に納まるように開口側端面にその受け側凹所を周設している。
【００３２】
ベンチＥは、特に図示していないがベンチＤと同様に前記方形箱型本体と方形蓋体とが一体になっている。つまり、このベンチＥは、箱型本体と蓋体とで内部が中空に形成した状態に固定されており、通常の遊戯用としての機能を有するのみで、該中空部は空いたままで防災用品は何も収納されておらず、防災備蓄の機能は有していない。
【００３３】
前記マットとベンチ、あるいはマットとマットは、その相対向して接する面に相互に着脱可能に係着する係着手段として面ファスナー５０が設けられ、この面ファスナー５０を介して隣接するもの同士が着脱可能に係着するようになっている。そのためマットとマット、あるいはマットとベンチが側面でピッタリ合い見た目がよいのに加え、子供がいたずらして引き離そうとしてもできないようになっており、安全性が高い。面ファスナー５０は一例であり、着脱可能に係着するものであれば、他のものに置き換えてもよい。
【００３４】
前記のような構成からなるので、図１に示すようにマットＡ，Ｂ，Ｃを敷設し、その外側にベンチＤ，Ｅを設置すると、一角に出入り口７のあるキッズコーナー１が出来上がるが、各マット間は上蓋の辺が隣接する他のマットの上蓋の辺と子供が指を入れられない程度に接する。ベンチも同様で、各ベンチ間は蓋体の辺が隣接する他のベンチの蓋体の辺と接する。また、ベンチとマットもベンチの蓋体とマットの上蓋が接する。そのため、子供は前記のように各マット間、各ベンチ間等に隙間のないキッズコーナー１で安全に遊ぶことができるようになる。
【００３５】
前記のようなマットＡ，Ｂ，ＣとベンチＤ，Ｅの構成のキッズコーナー１において、備蓄型のマットＡ，Ｂ及びベンチＤに十数人ぶんの防災用品を備蓄することができるようになっている。そして、災害時にマットＡ，Ｂ及びベンチＤの箱型本体の収納部に収納した防災用品が必要となったときには、まず出入り口７に面したマットＡの前面にある被覆板１３を隣接するベンチやマットを少しずらすことによりその両端部の箱型本体８の側壁８ａとの隙間に指を掛けて手前側に引き寄せるようにして面ファスナー５０の係着を解放し取り外す。被覆板１３を取り外すと、切欠部１２や平ベルト１４が現れるので、そのいずれかを介して上蓋９を持ち上げて収納部１０を開放する。この開放により収納部１０に収納された防災用品２を取り出すことになる。
【００３６】
次に、上蓋９が取り外されたマットＡと隣接するマットＢに収納された防災用品を同様にして取り出すが、この場合はマットＡ側に垂れて位置しているマットＢの平ベルト２４を手で持って上蓋１９を持ち上げて収納部２０を開放する。このようにしてマットＡと隣接するマットＢを順次同様に開放して防災用品２を取り出すことになる。
【００３７】
一方、ベンチＤの箱型本体３８の収納部４０に収納した防災用品３が必要となったときには、まず当該ベンチをマットＡから少しずらすことにより現出する切欠部４２又は平ベルト４４のいずれかを介して蓋体３９を箱型本体３８から取り外して収納部４０を開放する。この開放により収納部４０に収納された防災用品３を取り出すことになる。このようにマットＡを一つ、その上蓋９を取り外すと、次のマットＢの上蓋１９も次から次に取り外すことができるとともに、ベンチＤの蓋体３９も同様にして取り外すことができる。
【００３８】
前記のようであって、キッズコーナー１を構成するマットＡ，Ｂ及びベンチＤに防災用品２，３を収納し、かつこの収納がそれらの内部であって子供の目につかないため、通常時には安心して子供を遊ばせることができる一方、地震等の災害時には収納した防災用品２，３を上蓋９や蓋体３９を開けることにより迅速に取り出すことができて子供やその保護者等に提供することができる。そのため、提供を受けた子供等はその場で防災用品を身に付けたり、その後の対応に利用することができ、身の安全等を確保する上できわめて有益なものとなる。
【００３９】
前記実施の形態では、キッズコーナー１を図１のように両壁で囲まれた隅部に設置したが、必ずしもこのような隅部でなくともよく、壁のない特定スペースに設置してもよい。また、前記キッズコーナー１を９個のマットＡ，Ｂ，Ｃと５個のベンチＤ，Ｅで構成したが、これはあくまでも一例であって、個数は任意に設定することができる。さらに、マットＡ，Ｂ，ＣやベンチＤ，Ｅの寸法も実施の形態のものに限らず他の寸法としてもよい。そのほかにマットＡ，Ｂ，ＣとベンチＤ，Ｅの細部の構成も実施に際して、実用新案登録請求の範囲で適宜変更可能であることは言うまでもない。
【符号の説明】
【００４０】
Ａ，Ｂ，Ｃ  マット
Ｄ，Ｅ  ベンチ
１  キッズコーナー
２，３  防災用品
７  出入り口
８，１８  箱型本体
９，１９  上蓋
１０，２０，４０  収納部
１１  仕切り板
１２，４２  切欠部
１３  被覆板
１４  平ベルト
１５  被覆スロープ部材
３８  箱型本体
３９  蓋体
４４  平ベルト
５０  面ファスナー
【図１】
0003179425.tif 000003
【図２】
0003179425.tif 000004
【図３】
0003179425.tif 000005
【図４】
0003179425.tif 000006
【図５】
0003179425.tif 000007
【図６】
0003179425.tif 000008
【図７】
0003179425.tif 000009
【図８】
0003179425.tif 000010
【図９】
0003179425.tif 000011
【図１０】
0003179425.tif 000012